(57)【特許請求の範囲】
【請求項１】
下方に走行装置を設けた機体フレーム１の左右一側上方位置に設ける脱穀装置２と、この機体フレーム１の左右他側上方位置でかつ機体フレーム１の前部に設けたエンジンルーム４の後方に空間２６を置いて設けるグレンタンク３と、このグレンタンク３を外開き回動自在に取り付けるためのグレンタンク３の後部側の外側部分に設けた縦軸支手段とを設け、グレンタンク３を格納位置に固定可能で適宜操作レバーの操作によって該固定を解除するロック装置３５を前記脱穀装置２とグレンタンク３との間に設けるに、前記脱穀装置２とグレンタンク３との間にフレーム３７をその長手方向が前後方向に沿うように設け、該フレーム３７に前記ロック装置３５の係合フック３６を係脱可能に設け、前記フレ−ム３７は後方に延長して前記排出揚穀装置４７に連結して構成し、この係合フック３６を作動する操作レバー４０の回動中心部をグレンタンク３の前板２０において外側に向けて回動する側に偏倚して設けて該操作レバ−４０を前記空間２６の下部手前側に位置させ、さらに、前記グレンタンク３の前板２０の下部に支持部材７０を設け、前記機体フレ−ム１に係合する固定係合用ピン４３を該支持部材７０に対して上下動自在に挿通して設けると共に該固定係合用ピン４３の上部を前記支持部材７０より上方に突出させて屈曲させて操作レバ−６８を形成し、且つ、前記グレンタンク３の前部に係合片４１を設けると共に前記機体フレ−ム１には該係合片４１が係合する係合板４２を固定してグレンタンク３を格納させると係合片４１が係合板４２の突当面４９に当接してグレンタンク３の回動を停止させて前記固定係合用ピン４３を機体フレ−ム１に容易に係合させられるように構成し、前記ロック装置３５の操作レバ−４０および前記固定係合用ピン４３の操作レバ−６８を前記空間２６内におけるグレンタンク３の螺旋コンベア４６駆動用のプ−リ４５の周辺に集中して配置して前記グレンタンク３側に取付けたカバ−３０によって前記空間２６の側面を包囲できるように構成し、前記グレンタンク３にサブタンク７を設けるにあたり、該サブタンク７を側板８と該側板８の前後に設けた前板９と後板１０とにより断面コ型形状に形成して前記側板８の下部をグレンタンク３に回動自在に取付け、該サブタンク７の上部を側方に引出すとグレンタンク３の容積が拡大するように構成し、操作部材２３を操縦席５より手の届く範囲に臨ませて、該操作部材２３を操作すると軸２２が回転し、該軸２２の回転によってサブタンク７を手前に引出すことができるように構成したことを特徴とするコンバインにおける穀粒貯留装置。
【発明の詳細な説明】
【０００１】
【発明の属する技術分野】
本発明は、収穫機、例えばコンバインにおける穀粒貯装置に係るものである。
【０００２】
【従来技術】
下方に走行装置を有する車体の左右一側上方位置に脱穀装置を設け、車体の左右他側上方位置にグレンタンクを設けたコンバインにおいて、前記グレンタンクを外開き回動自在に取付けるための回動支点は、前記グレンタンクの後部側の外側部分を垂直軸支手段に構成する一方、グレンタンクの前板には機体に対して該グレンタンクを固定するロック手段を設けると共にグレンタンクの底部近くには該固定を解除する操作レバ−を位置させた構成が、実開平２−９３９３６号公報、実開昭６０−３６０４６号公報などにおいて部分的に開示されている。
【０００３】
【発明が解決しようとする課題】
コンバインにおいては、メンテナンスのため、しばしばグレンタンクを外開き回動させることがあり、この際には、グレンタンクのプ−リからベルトを外すと同時に、グレンタンクと機体側との間にあるロック装置のロックを解除しなくてはならない。しかしながら、従来のものでは、このグレンタンクの外開き回動操作および格納位置への復帰回動操作を容易に行なうことができなかった。
【０００４】
【課題を解決するための手段】
この発明は、上記の欠点を解消したグレンタンクを提供するのであって、つぎのような技術的手段を講じた。
【０００５】
すなわち、下方に走行装置を設けた機体フレーム１の左右一側上方位置に設ける脱穀装置２と、この機体フレーム１の左右他側上方位置でかつ機体フレーム１の前部に設けたエンジンルーム４の後方に空間２６を置いて設けるグレンタンク３と、このグレンタンク３を外開き回動自在に取り付けるためのグレンタンク３の後部側の外側部分に設けた縦軸支手段とを設け、グレンタンク３を格納位置に固定可能で適宜操作レバーの操作によって該固定を解除するロック装置３５を前記脱穀装置２とグレンタンク３との間に設けるに、前記脱穀装置２とグレンタンク３との間にフレーム３７をその長手方向が前後方向に沿うように設け、該フレーム３７に前記ロック装置３５の係合フック３６を係脱可能に設け、前記フレ−ム３７は後方に延長して前記排出揚穀装置４７に連結して構成し、この係合フック３６を作動する操作レバー４０の回動中心部をグレンタンク３の前板２０において外側に向けて回動する側に偏倚して設けて該操作レバ−４０を前記空間２６の下部手前側に位置させ、さらに、前記グレンタンク３の前板２０の下部に支持部材７０を設け、前記機体フレ−ム１に係合する固定係合用ピン４３を該支持部材７０に対して上下動自在に挿通して設けると共に該固定係合用ピン４３の上部を前記支持部材７０より上方に突出させて屈曲させて操作レバ−６８を形成し、且つ、前記グレンタンク３の前部に係合片４１を設けると共に前記機体フレ−ム１には該係合片４１が係合する係合板４２を固定してグレンタンク３を格納させると係合片４１が係合板４２の突当面４９に当接してグレンタンク３の回動を停止させて前記固定係合用ピン４３を機体フレ−ム１に容易に係合させられるように構成し、前記ロック装置３５の操作レバ−４０および前記固定係合用ピン４３の操作レバ−６８を前記空間２６内におけるグレンタンク３の螺旋コンベア４６駆動用のプ−リ４５の周辺に集中して配置して前記グレンタンク３側に取付けたカバ−３０によって前記空間２６の側面を包囲できるように構成し、前記グレンタンク３にサブタンク７を設けるにあたり、該サブタンク７を側板８と該側板８の前後に設けた前板９と後板１０とにより断面コ型形状に形成して前記側板８の下部をグレンタンク３に回動自在に取付け、該サブタンク７の上部を側方に引出すとグレンタンク３の容積が拡大するように構成し、操作部材２３を操縦席５より手の届く範囲に臨ませて、該操作部材２３を操作すると軸２２が回転し、該軸２２の回転によってサブタンク７を手前に引出すことができるように構成したことを特徴とするコンバインにおける穀粒貯留装置とした。
【０００６】
【発明の効果】
グレンタンク３を固定でき適宜操作レバーの操作によって該固定を解除するロック装置３５を上記脱穀装置２と該グレンタンク３との間に設けるに、脱穀装置２とグレンタンク３との間にフレーム３７をその長手方向が前後方向に沿うように設け、該フレーム３に上記ロック装置３５の係合フック３６を係脱可能に設けるものであるから、フレーム３７に対する係合フック３６の前後方向位置の設計自由度を高め、組付け誤差を吸収できる。
【０００７】
しかも、前記係合フック３６を作動する操作レバー４０の回動中心部をグレンタンク３の前板２０において外側に向けて回動する側に偏倚して設けて該操作レバ−４０を前記空間２６の下部手前側に位置させているため、グレンタンク３とフレーム３７とのロック操作及びロック解除を楽な姿勢で手際よく行い得る。
【０００８】
また、この際、ロック装置３５の操作レバ−４０および固定係合用ピン４３の操作レバ−６８が、エンジンル−ム４とグレンタンク３との間の空間２６内におけるグレンタンク３の螺旋コンベア４６駆動用のプ−リ４５の周辺に集中して配置されているため、螺旋コンベア４６駆動用のプ−リ４５からベルトを外すとき、ロック装置３５のロック解除および固定係合用ピン４３の係合解除を手際よく行なえ、グレンタンク３の回動作業性を向上させることができる。
【０００９】
また、メンテナンス作業が終了してグレンタンク３を格納位置に回動させると、係合片４１が係合板４２の突当面４９に当接してグレンタンク３の回動が所定の格納位置に正確に停止されるため、固定係合用ピン４３を機体フレ−ム１に係合させるのが容易となるうえに、螺旋コンベア４６のプ−リ４５と機体フレ−ム１側に設けたプ−リとの間の間隔が変化せず、確実にベルト伝動することができる。 また、操作部材２３を操縦席５から操作してサブタンク７を引出すことができ、作業性を向上させることができる。
【００１０】
【発明の実施の形態】
以下、この発明の実施の形態を図面により説明すると、１はコンバイン等の収穫機の機体フレ−ムであり、図２において、２は前記機体フレ−ム１の上方位置に設けた脱穀装置、３は前記脱穀装置２の側部に設けたグレンタンク、４は前記グレンタンク３の前側に空間２６を置いて設けたエンジン、吸気装置等を有するエンジンル−ム、５は前記エンジンル−ム４の前側に設けた操縦席、６は前記脱穀装置２の後側に設けたカッタまたは結束装置を有する排藁処理部であり、図示は省略するが、前記機体フレ−ム１の下方には走行装置を、前記脱穀装置２および前記操縦席５の前側には刈取部をそれぞれ設けている。
【００１１】
前記グレンタンク３は下部を内側に向けて傾斜部を形成するとともに、前記脱穀装置２内に設けた一番コンベアの終端部に接続した穀物供給用揚穀装置の上部を接続し、前記一番コンベアにより取出された穀物を貯留する。前記グレンタンク３には外側に拡大するサブタンク７を設ける（図１）。サブタンク７は側板８と該側板８の前後に設けた前後板９、１０により断面上向きコ型形状に形成され（図３）、前記側板８の下部を回動自在にグレンタンク３に取付ける。
【００１２】
即ち、サブタンク７は前記グレンタンク３内に格納され、サブタンク７の上部を側方に引出すと前記グレンタンク３の容積を拡大させる。前記側板８の上縁は前記グレンタンク３の天板１１の前縁よりも上方に突出させて把持部１２に形成し（図４）、該把持部１２に手を掛けてサブタンク７を手前に引き出す。そして、前記サブタンク７とグレンタンク３との間には、前記サブタンク７を格納時グレンタンク３側に固定するロック装置１３を設ける（図４、図５）。
【００１３】
ロック装置１３は前記サブタンク７の側板８の前後縁を内側に屈曲させて形成した屈曲部１４、１５のそれぞれの内面にグレンタンク３側に突出する係合軸１６、１７の基部をそれぞれ固定し、前記係合軸１６、１７に係合する係合フック１８、１９を前記グレンタンク３の前板２０と後板２１のそれぞれに設けて構成する。
【００１４】
前記係合フック１８、１９は、その基部を、前記サブタンク７の前後板９、１０の上方であって前記グレンタンク３内を前後に貫通する連結軸２２（軸２２）の前記グレンタンク３の前後板２０、２１より突出する突出部にそれぞれ固定し、連結軸２２の前端は前記係合フック１８よりも前側に突出させ、該突出部に操作部材２３の中間部を固定する。
【００１５】
操作部材２３は一軸形状に形成され、前記連結軸２２より上部は前記エンジンル−ム４の上部よりも上方に突出させて上部操作レバ−２４に形成し、上部操作レバ−２４は前記操縦席５より手の届く範囲に臨ませ、前記操作部材２３の下部は下部操作レバ−２５に形成し、下部操作レバ−２５の下端は前記空間２６内の下方に臨ませ、圃場より操作可能に構成し、前記操作部材２３は操縦席５と圃場との二方向から操作可能に構成している。
【００１６】
２７は前記係合フック１８、１９が係合軸１５、１６に係合するように付勢するバネ、２８は係合フック１８、１９のストッパ、３０は前記空間２６の側面を包囲するカバ−であり、カバ−３０には係合フック３１を設け、該係合フック３１を前記グレンタンク３の前板２０側に設けた係合軸３２に係合させて着脱自在に取付ける。
【００１７】
しかして、前記グレンタンク３は機体側に対して側方に回動するように上部軸３３および下部軸３４により取付けられ（図６）、前記脱穀装置２とグレンタンク３との間にはロック装置３５（ロック手段Ｂ）を設けている（図４）。ロック装置３５は前記空間２６内に設けられ、前記グレンタンク３の前板２０の奥側上部に係合フック３６を設け、係合フック３６を前記脱穀装置２とグレンタンク３との間に設けたフレ−ム３７側に設けた係合軸３８に係合させる。
【００１８】
３９は前記係合フック３６と操作レバ−４０との間に設けたロッドであって、融通状態に連結してる。前記操作レバ−４０は自由端部を下方に位置し、回動中心部をグレンタンク３の傾斜部よりも上方に位置するとともに外側に向けて回動する側に偏倚して設け、前記空間２６の下部手前側に位置させる。
【００１９】
前記グレンタンク３の前部外側下面には係合片４１を設け、前記機体フレ−ム１には前記係合片４１が挿入係合する係合板４２を固定する。係合板４１は前記機体フレ−ム１の上面との間に隙間４８を有して設けられ、隙間４８の奥側には突当面４９を形成する。即ち、係合片４１は、グレンタンク３を格納させると、前記係合板４２と機体フレ−ム１との間の隙間４８に挿入され、突当面４９に当接して、グレンタンク３の回動を停止させる。
【００２０】
４３は係合片４１と係合板４２とが係合した状態で前記機体フレ−ム１に係合する固定係合用ピンであり、前記グレンタンク３の前板２０の下部に支持部材７０を設け、該支持部材７０に上下動自在に挿通している。該固定係合用ピン４３の上部は前記支持部材７０より上方に突出させて屈曲させて操作レバ−６８を形成する。固定係合用ピン４３と操作レバ−６８によりロック手段Ａを構成する。
【００２１】
４５は前記グレンタンク３内に設けた螺旋コンベア４６を駆動させるプ−リであり、プ−リ４５は前記螺旋コンベア４６の螺旋コンベア軸５２の前端に固定する。前記機体フレ−ム１側には前記プ−リ４５と対をなすプ−リ６７を設け、プ−リ４５とプ−リ６７との間にベルト５０を掛け回す。５１はテンションプ−リである。
【００２２】
しかして、前記グレンタンク３を回動させるときには、前記ロック装置３５の操作レバ−４０を操作して係合フック３６を係合軸３８より離脱させ、前記固定係合用ピン４３を操作レバ−６８により機体フレ−ム１より抜き、前記プ−リ４５よりベルト４８を外すが、ロック装置３５の操作レバ−４０および前記固定係合用ピン４３の操作レバ−６８は前記空間２６内の前記プ−リ４５の周辺に集中して配置し、グレンタンク３の外開き回動作業を容易にしている。
【００２３】
しかして、前記グレンタンク３の後側には、前記螺旋コンベア４６の後部を突出させ、これを排出筒５３により包囲し、排出筒５３は機体フレ−ム１に固定のオ−ガメタル５４を接続し、オ−ガメタル５４の上側開口部５５には排出揚穀装置４７の縦筒部５６の下部を回転のみ自在に嵌合させる。前記縦筒部５６の上部には、図示は省略するが排出オ−ガを取付け、該排出オ−ガは前記縦筒部５６を回転させることにより旋回して、圃場近傍に待機中のトラックのタンクにグレンタンク３内の穀物を排出させる。
【００２４】
前記縦筒部５６の下部外周には該縦筒部５６を回転させるための受動ギヤ５７を設け、受動ギヤ５７には前記オ−ガメタル５４側に設けたモ−タ５８により回転する駆動ギヤ５９を噛合わせる。前記オ−ガメタル５４には抜け防止体６０の下部を固定し、抜け防止体６０の上部は縦筒部５６側に屈曲させて前記受動ギヤ５７の上方に臨ませる。縦筒部５６の下部はメンテナンス等のため前記オ−ガメタル５４に着脱自在に嵌合しているので、前記抜け防止体６０により前記排出オ−ガを旋回させたときの荷重により縦筒部５６がオ−ガメタル５４より抜けるのを防止する。抜け防止体６０は前記モ−タ５８のステ−に取付けることもある。
【００２５】
前記縦筒部５６の受動ギヤ５７の上面または下面側にはストッパ６１を設け、ストッパ６１は前記縦筒部５６を回転させたとき、前記抜け防止体６０に当接するように構成し、前記排出オ−ガの旋回を規制する。したがって、通常は前記モ−タ５８の回転をセンサ等により制御して、前記排出オ−ガの旋回を規制しているが、この電気的制御が作動しないときでも、ストッパ６１と抜け防止体６０との当接により排出オ−ガの旋回を機械的に規制し、排出オ−ガが操縦席５の着座者に衝突する等の危険を回避し、機体の損傷も防止する。
【００２６】
６２は後部縦フレ−ムであり、その上部は前記フレ−ム３７に連結し、下部は機体フレ−ム１に固定する。後部縦フレ−ム６２の上部には前記縦筒部５６を支持する回転支持部材６３を設け、後部縦フレ−ム６２の中間部には前記排藁処理部６側の軸６４を軸着する軸着金具６５を固定する。
【００２７】
即ち、前記フレ−ム３７はその前端部は前記脱穀装置２およびエンジンル−ム４に固定し、その中間部は図示は省略するが穀物供給用揚穀装置に取付け、その後部は屈曲させて前記回転支持部材６３に固定するとともに、フレ−ム３７の後部に前記後部縦フレ−ム６２の上部を固定し、フレ−ム３７と後部縦フレ−ム６２は相互に支持する関係に構成し、前記排藁処理部６は後部縦フレ−ム６２を中心に回動自在に構成し、排藁処理部６の回動とグレンタンク３の回動は相互に強固に支持する関係に構成している。
【００２８】
図中、６６は一端を前記フレ−ム３７側に係止し、他端を前記上部軸３３近傍に係止したワイヤであり、前記グレンタンク３の外開き回動を規制する。つぎに、前記構成に基づく作用を述べる。
【００２９】
操縦席５に着座して機体を前進させ、分草体により穀稈を分草し、分草した穀稈を穀稈引起装置により引起して刈刃により刈取り、刈取った穀稈を脱穀装置２へ供給して脱穀して風選し、一番物は一番コンベアにより取出され、穀物供給用揚穀装置により脱穀装置２の側部に設けたグレンタンク３に貯留する。
【００３０】
前記グレンタンク３は、その容積を拡大するためにサブタンク７が設けられ、操作部材２３を回動操作すると、連結軸２２が回転し、連結軸２２の回転により前記係合フック１８、１９は連結軸２２を中心に回動して前記係合軸１６、１７より外れ、サブタンク７を手前に引出すことができる。
【００３１】
この場合、操作部材２３の上部は前記エンジンル−ム４の上部より上方に突出させて上部操作レバ−２４に形成し、上部操作レバ−２４の上部は前記操縦席５より手の届く範囲に臨ませ、操作部材２３の下部は下部操作レバ−２５に形成し、下部操作レバ−２５の下端は前記グレンタンク３とエンジンル−ム４との間の空間２６内の下方に臨ませているから、操縦席５または圃場から上部操作レバ−２４または下部操作レバ−２５を操作すると、連結軸２２が回転し、係合フック１８、１９は係合軸１６、１７より離脱し、ロック装置１３を外すことができる。したがって、前記操作部材２３は操縦席５と圃場からの二方向から操作可能であるから、種々の作業状態に応じて、サブタンク７を引出すことができ、作業性を向上させている。
【００３２】
しかして、グレンタンク３およびサブタンク７内に穀物が一杯になると、機体を圃場近傍に待機させたトラックの近傍にまで走行させ、モ−タ５８により駆動ギヤ５９を回転させ、駆動ギヤ５９が受動ギヤ５７を回転させて排出揚穀装置４７の縦筒部５６を回転させて排出オ−ガを旋回させて前記トラックのタンク上方に位置させ、この状態で螺旋コンベア４６および排出揚穀装置４７を作動させてグレンタンク３およびサブタンク７内の穀物をトラックに設けたタンクに排出する。
【００３３】
しかして、排出作業の終了または前記グレンタンク３と前記脱穀装置２の間の伝動装置が不具合になると、ロック装置３５（ロック手段Ｂ）の操作レバ−４０を操作して係合軸３８より係合フック３６を離脱させ、プ−リ４５よりベルト５０を外し、ロック手段Ａの操作レバ−６８により固定係合用ピン４３を上方に引くと、前記グレンタンク３は上部軸３３および下部軸３４を中心に外開き回動し、前記グレンタンク３と前記脱穀装置２の間に空間が形成するから、容易にメンテナンスが行なえる。
【００３４】
この場合、ロック装置３５（ロック手段Ｂ）の操作レバ−４０と、前記固定係合用ピン４３の操作レバ−６８（ロック手段Ａ）と、グレンタンク３を引き出すときのハンドル４４は、前記プ−リ４５の近傍に配置させているから、螺旋コンベア４６のプ−リ４５からベルト５０を外すとき、グレンタンク３と機体側との間のロック装置３５のロック解除および固定係合用ピン４３の係合解除を手際よく行なえ、グレンタンク３の回動作業性を向上させる。
【００３５】
しかして、前記メンテナンス作業が終了すると、グレンタンク３を格納位置に回動させるが、グレンタンク３の前部下面には係合片４１を設け、前記機体フレ−ム１には係合板４２を機体フレ−ム１の上面との間に隙間４８を有して設け、隙間４８の奥側には突当面４９を形成しているから、グレンタンク３を格納させると、係合片４１は前記係合板４２と機体フレ−ム１との間の隙間４８に挿入されて突当面４９に当接して、グレンタンク３の回動を所定の格納位置に正確に停止させる。したがって、前記固定係合用ピン４３を機体フレ−ム１に係合させるのが容易となるばかりでなく、係合片４１は前記係合板４２と機体フレ−ム１とにより上下に挟持されるので、グレンタンク３が上下振動するのも防止する。
【００３６】
また、グレンタンク３は所定位置に確実に格納されるので、螺旋コンベア４６のプ−リ４５と機体フレ−ム１側に設けたプ−リ６７との間の間隔は変化せず、また、プ−リ４５の上下振動も防止されるので、ベルト４８は確実に回転を伝達する。
【図面の簡単な説明】
【図１】サブタンクを拡大した状態の概略斜視図。
【図２】平面図。
【図３】グレンタンクとサブタンクの概略断面図。
【図４】グレンタンクの正面図。
【図５】作用状態図。
【図６】作用状態図。
【図７】平面図。
【図８】側面図。
【図９】平面図。
【図１０】側面図。
【図１１】背面図。
【図１２】断面図。
【符号の説明】
１  機体フレ−ム
２  脱穀装置
３  グレンタンク
４  エンジンル−ム
５ 操縦席
７ サブタンク
８ 側板
９ 前板
１０ 後板
２０  前板
２２ 軸（連結軸）
２３ 操作部材
２６ 空間
３０ カバ−
３５  ロック装置
３６  係合フック
３７  フレーム
４０  操作レバ−
４１ 係合片
４２ 係合板
４３ 固定係合用ピン
４５ プ−リ
４６  螺旋コンベア
４９ 突当面
６８ 操作レバ−
７０ 支持部材
【図１】
0003558274.tif 000002
【図２】
0003558274.tif 000003
【図３】
0003558274.tif 000004
【図４】
0003558274.tif 000005
【図５】
0003558274.tif 000006
【図６】
0003558274.tif 000007
【図７】
0003558274.tif 000008
【図８】
0003558274.tif 000009
【図９】
0003558274.tif 000010
【図１０】
0003558274.tif 000011
【図１１】
0003558274.tif 000012
【図１２】
0003558274.tif 000013